(57)【要約】【課題】液晶表示装置の騒音を減らす。【解決手段】第１表示板部、第２表示板部、前記第２表示板部を露出させる切開部を有する第１ＦＰＣ、前記第１及び第２表示板部に光を提供し、複数のランプからなる光源部、並びに前記光源部に印加される電流を制御してキャパシタを有する電流制御部を備え、前記キャパシタの容量は１００ｎＦ以下とする。このように、電流制御部のキャパシタの容量を１００ｎＦ以下とすると共に、共通電圧の周波数を可聴周波数範囲外に調節することによって、携帯電話機のような中小型液晶表示装置で発生する騒音を減らすことができる。【選択図】図１
2006189801.tif 000002
【特許請求の範囲】
【請求項１】
第１表示板部と、
第２表示板部と、
前記第２表示板部を露出させる切開部を有する第１ＦＰＣ（ｆｌｅｘｉｂｌｅ  ｐｒｉｎｔｅｄ  ｃｉｒｃｕｉｔ  ｆｉｌｍ）と、
前記第１及び第２表示板部に光を提供し複数のランプからなる光源部と、
前記光源部に印加される電流を制御しキャパシタを有する電流制御部と、を備え、
前記キャパシタの容量が１００ｎＦ以下であることを特徴とする液晶表示装置。
【請求項２】
前記電流制御部は、
複数の端子を有し前記ランプの一端に接続されている電流生成部と、
前記ランプの他端に接続され前記キャパシタと複数の抵抗を有する電流設定部と、
を備えることを特徴とする請求項１に記載の液晶表示装置。
【請求項３】
前記電流制御部が前記第１ＦＰＣに位置することを特徴とする請求項２に記載の液晶表示装置。
【請求項４】
前記第１表示板部の一辺に付着されている第２ＦＰＣと、
前記第１表示板部の他辺と前記第２表示板部の一辺との間に付着されている第３ＦＰＣと、
をさらに備えることを特徴とする請求項１に記載の液晶表示装置。
【請求項５】
前記第１及び第２表示板部は、スイッチング素子をそれぞれ有する複数の画素、及び前記スイッチング素子に接続されている第１及び第２表示信号線をそれぞれ備えることを特徴とする請求項１に記載の液晶表示装置。
【請求項６】
ゲート信号を生成して前記第１表示信号線に印加するゲート駆動部と、
データ電圧を生成して前記第２表示信号線に印加するデータ駆動部と、
をさらに備えることを特徴とする請求項５に記載の液晶表示装置。
【請求項７】
前記第１及び第２表示板部を駆動する駆動回路チップをさらに備えることを特徴とする請求項６に記載の液晶表示装置。
【請求項８】
前記駆動回路チップは、前記ゲート駆動部及び前記データ駆動部を備えることを特徴とする請求項７に記載の液晶表示装置。
【請求項９】
前記駆動回路チップが前記第１表示板部に装着されていることを特徴とする請求項８に記載の液晶表示装置。
【請求項１０】
第１表示板部と、
第２表示板部と、
前記第２表示板部を露出させる切開部を有する第１ＦＰＣと、
共通電圧を生成して前記第１及び第２表示板部に提供する共通電圧生成部と、を備え、
前記共通電圧の周波数が２０ｋＨｚを超えることを特徴とする液晶表示装置。
【請求項１１】
前記共通電圧生成部は、
オシレータと、
前記オシレータからの信号に従って電圧を生成する電圧生成部と、
を備えることを特徴とする請求項１０に記載の液晶表示装置。
【請求項１２】
前記オシレータは第１及び第２端子に接続されている抵抗を有し、
前記抵抗の大きさと前記共通電圧の周波数が互いに反比例することを特徴とする請求項１１に記載の液晶表示装置。
【請求項１３】
前記第１表示板部の一辺に付着されている第２ＦＰＣと、
前記第１表示板部の他辺と前記第２表示板部の一辺との間に付着されている第３ＦＰＣとをさらに備えることを特徴とする請求項１０に記載の液晶表示装置。
【請求項１４】
前記第１及び第２表示板部は、スイッチング素子をそれぞれ有する複数の画素、及び前記スイッチング素子に接続されている第１及び第２表示信号線をそれぞれ備えることを特徴とする請求項１０に記載の液晶表示装置。
【請求項１５】
ゲート信号を生成して前記第１表示信号線に印加するゲート駆動部と、
データ電圧を生成して前記第２表示信号線に印加するデータ駆動部と、
をさらに備えることを特徴とする請求項１４に記載の液晶表示装置。
【請求項１６】
前記第１及び第２表示板部を駆動する駆動回路チップをさらに備えることを特徴とする請求項１５に記載の液晶表示装置。
【請求項１７】
前記駆動回路チップは、前記共通電圧生成部、前記ゲート駆動部及び前記データ駆動部を備えることを特徴とする請求項１６に記載の液晶表示装置。
【請求項１８】
前記駆動回路チップは前記第１表示板部に装着されていることを特徴とする請求項１７に記載の液晶表示装置。
【請求項１９】
第１表示板部と、
第２表示板部と、
前記第２表示板部を露出させる切開部を有する第１ＦＰＣと、
前記第１表示板部の一辺に付着されている第２ＦＰＣと、
前記第１表示板部の他辺と前記第２表示板部の一辺との間に付着されている第３ＦＰＣと、
前記第１及び第２表示板部に光を提供するバックライト部と、を備え、
前記第１及び第２表示板部は、前記バックライト部を介在して互いに反対側に位置し、
前記第２表示板部が位置する側の前記バックライト部と前記第３ＦＰＣとの間には絶縁部材が位置することを特徴とする液晶表示装置。
【請求項２０】
前記絶縁部材は、前記バックライト部と前記第３ＦＰＣのいずれにも付着される両面テープであることを特徴とする請求項１９に記載の液晶表示装置。
【請求項２１】
前記第１及び第２表示板部は、スイッチング素子をそれぞれ有する複数の画素、及び前記スイッチング素子に接続されている第１及び第２表示信号線をそれぞれ備えることを特徴とする請求項１９に記載の液晶表示装置。
【請求項２２】
ゲート信号を生成して前記第１表示信号線に印加するゲート駆動部と、
データ電圧を生成して前記第２表示信号線に印加するデータ駆動部と、
をさらに備えることを特徴とする請求項２１に記載の液晶表示装置。
【請求項２３】
前記第１及び第２表示板部を駆動する駆動回路チップをさらに備えることを特徴とする請求項２２に記載の液晶表示装置。
【請求項２４】
前記駆動回路チップは、前記ゲート駆動部及び前記データ駆動部を備えることを特徴とする請求項２３に記載の液晶表示装置。
【請求項２５】
前記駆動回路チップは前記第１表示板部に装着されていることを特徴とする請求項２４に記載の液晶表示装置。
【請求項２６】
液晶表示装置の光源部に印加される電流を制御する電流制御部であって、
前記光源部のランプの一端に接続されている電流生成部と、
前記光源部のランプの他端に接続されている電流設定部とを備え、
前記電流設定部は１００ｎＦ以下の容量を有することを特徴とするキャパシタを備える電流制御部。
【請求項２７】
前記電流設定部は複数の抵抗をさらに有することを特徴とする請求項２６に記載の電流制御部。
【請求項２８】
液晶表示装置の液晶表示板組立体に印加される共通電圧を生成する共通電圧生成部であって、
前記共通電圧の周波数が２０ｋＨｚより大きいことを特徴とする共通電圧生成部。
【請求項２９】
オシレータと、
前記オシレータからの出力信号に従って電圧を生成する電圧生成部をさらに備えることを特徴とする請求項２８に記載の共通電圧生成部。
【請求項３０】
前記オシレータは、前記オシレータの第１端子と第２端子との間に接続されている抵抗を有し、
前記抵抗の抵抗値が前記共通電圧の周波数と反比例することを特徴とする請求項２９に記載の共通電圧生成部。
【発明の詳細な説明】
【技術分野】
【０００１】
本発明は、液晶表示装置に関する。
【背景技術】
【０００２】
一般の液晶表示装置（ＬＣＤ）は、画素電極及び共通電極が備えられた二つの表示板とその間に入っている誘電率異方性を有する液晶層とを備える。画素電極は行列状に配列されており、薄膜トランジスタ（ＴＦＴ）などのスイッチング素子に接続されて一行ずつ順次にデータ電圧の印加を受ける。共通電極は表示板の全面に亘って形成され、共通電圧の印加を受ける。画素電極と共通電極及びその間の液晶層は回路的に見れば液晶キャパシタをなし、液晶キャパシタはこれに接続されたスイッチング素子と共に画素を構成する基本単位となる。
【０００３】
このような液晶表示装置において、二つの電極に電圧を印加して液晶層に電界を生成し、この電界の強さを調節して液晶層を通過する光の透過率を調節することによって所望の画像を得る。この時、液晶層に一方向の電界が長く印加されることによって発生する劣化現象を防ぐため、フレーム毎に、行毎に、または画素毎に共通電圧に対するデータ電圧の極性を反転させる。
【０００４】
このような液晶表示装置の中で特に携帯電話機のような中小型表示装置として、外部と内部にそれぞれ表示板部を備えているいわゆるデュアル表示装置が開発されている。
【０００５】
このようなデュアル表示装置は、内部に装着される主表示板部、外部に装着される副表示板部、外部からの入力信号を伝達する配線が備えられた駆動可撓性印刷回路基板（ＦＰＣ）、駆動ＦＰＣと主表示板部との間に位置する主ＦＰＣ、主表示板部と副表示板部との間に位置する補助ＦＰＣ、並びにこれらを制御するための統合チップ（ｉｎｔｅｇｒａｔｅｄ  ｃｈｉｐ）を備える。
【０００６】
統合チップは、主表示板部と副表示板部を制御するための信号及び駆動信号を生成し、主に主表示板部にＣＯＧ（ｃｈｉｐ  ｏｎ  ｇｌａｓｓ）形態で装着されており、駆動ＦＰＣは、外部の装置と液晶表示装置を接続するという意味でインターフェースＦＰＣとも言う。
【０００７】
一方、このような中小型液晶表示装置は、画質を改善するための試みがなされているものの、騒音を減らすための努力は疎かにする傾向があった。即ち、画質を改善させるために発生する騒音をある程度容認する方向に開発がなされてきたが、今後は騒音を減らすための試みがなされることが要求される。
【発明の開示】
【発明が解決しようとする課題】
【０００８】
本発明の目的は、騒音を減らすことができる液晶表示装置を提供することである。
【課題を解決するための手段】
【０００９】
このような技術的課題を構成するための本発明の一実施形態による液晶表示装置は、第１表示板部、第２表示板部、前記第２表示板部を露出させる切開部を有する第１ＦＰＣ、前記第１及び第２表示板部に光を提供し複数のランプからなる光源部、並びに前記光源部に印加される電流を制御し、キャパシタを有する電流制御部を備え、前記キャパシタの容量は１００ｎＦ以下である。この時、前記電流制御部は、複数の端子を有し前記ランプの一端に接続されている電流生成部、並びに前記ランプの他端に接続され、前記キャパシタと複数の抵抗を有する電流設定部を備えることができる。この時、前記電流制御部は前記第１ＦＰＣに位置することができる。
【００１０】
一方、前記液晶表示装置は、前記第１表示板部の一辺に付着されている第２ＦＰＣ、及び前記第１表示板部の他辺と前記第２表示板部の一辺との間に付着されている第３ＦＰＣをさらに備えることができる。
【００１１】
前記第１及び第２表示板部は、スイッチング素子をそれぞれ有する複数の画素、及び前記スイッチング素子に接続されている第１及び第２表示信号線をそれぞれ備えることが好ましい。
【００１２】
さらに、ゲート信号を生成して前記第１表示信号線に印加するゲート駆動部、及びデータ電圧を生成して前記第２表示信号線に印加するデータ駆動部をさらに備えることが好ましい。
【００１３】
この時、前記液晶表示装置は、前記第１及び第２表示板部を駆動する駆動回路チップをさらに備えることが好ましいが、前記駆動回路チップは、前記ゲート駆動部及び前記データ駆動部を備えることができる。
【００１４】
また、前記駆動回路チップは前記第１表示板部に装着されることができる。
【００１５】
一方、本発明の他の実施形態による液晶表示装置は、第１表示板部、第２表示板部、前記第２表示板部を露出させる切開部を有する第１ＦＰＣ、並びに共通電圧を生成して前記第１及び第２表示板部に提供する共通電圧生成部を備え、前記共通電圧の周波数は２０ｋＨｚを超える。
【００１６】
この時、前記共通電圧生成部は、オシレータ、及び前記オシレータからの信号に従って電圧を生成する電圧生成部を備えることができる。
【００１７】
前記オシレータは、第１及び第２端子に接続されている抵抗を含み、前記抵抗の大きさと前記共通電圧の周波数は互いに反比例することができる。
【００１８】
ここで、前記液晶表示装置は、前記第１表示板部の一辺に付着されている第２ＦＰＣ、及び前記第１表示板部の他の辺と前記第２表示板部の一辺との間に付着されている第３ＦＰＣをさらに備える。
【００１９】
一方、前記第１及び第２表示板部は、スイッチング素子をそれぞれ有する複数の画素、及び前記スイッチング素子に接続されている第１及び第２表示信号線をそれぞれ備えることが好ましい。
【００２０】
この時、前記液晶表示装置は、ゲート信号を生成して前記第１表示信号線に印加するゲート駆動部、及びデータ電圧を生成して前記第２表示信号線に印加するデータ駆動部をさらに備えることが好ましく、前記第１及び第２表示板部を駆動する駆動回路チップをさらに備えることができる。
【００２１】
前記駆動回路チップは、前記共通電圧生成部、前記ゲート駆動部及び前記データ駆動部を備えることができ、前記駆動回路チップは、前記第１表示板部に装着されることができる。
【００２２】
本発明の他の実施形態による液晶表示装置は、第１表示板部、第２表示板部、前記第２表示板部を露出させる切開部を有する第１ＦＰＣ、前記第１表示板部の一辺に付着されている第２ＦＰＣ、前記第１表示板部の他辺と前記第２表示板部の一辺との間に付着されている第３ＦＰＣ、並びに前記第１及び第２表示板部に光を提供するバックライト部を備え、前記第１及び第２表示板部は、前記バックライト部を介在して互いに反対側に位置し、前記第２表示板部が位置する側の前記バックライト部と前記第３ＦＰＣとの間には絶縁部材が配置される。
【００２３】
この時、前記絶縁部材は、前記バックライト部と前記第３ＦＰＣのいずれにも付着される両面テープであり得る。
【００２４】
前記第１及び第２表示板部は、スイッチング素子をそれぞれ有する複数の画素及び前記スイッチング素子に接続されている第１及び第２表示信号線をそれぞれ備えることが好ましい。
【００２５】
この時、前記液晶表示装置は、ゲート信号を生成して前記第１表示信号線に印加するゲート駆動部、及びデータ電圧を生成して前記第２表示信号線に印加するデータ駆動部をさらに備えることが好ましく、前記第１及び第２表示板部を駆動する駆動回路チップをさらに備えることができる。
【００２６】
前記駆動回路チップは、前記ゲート駆動部及び前記データ駆動部を備えることができるが、前記駆動回路チップは、前記第１表示板部に装着されることができる。
【００２７】
本発明の一特徴による液晶表示装置の光源部に印加される電流を制御する電流制御部として、前記光源部のランプの一端に接続されている電流生成部、及び前記光源部のランプの他端に接続されている電流設定部を備え、前記電流設定部は、１００ｎＦ以下の容量を有するキャパシタを備える。
【００２８】
この時、前記電流設定部は複数の抵抗をさらに有することができる。
【００２９】
一方、本発明の一特徴による液晶表示装置の液晶表示板組立体に印加される共通電圧を生成する共通電圧生成部において、前記共通電圧の周波数は２０ｋＨｚより大きい。
【００３０】
前記共通電圧生成部は、オシレータ、及び前記オシレータからの出力信号に従って電圧を生成する電圧生成部をさらに備えることができる。
【００３１】
また、前記オシレータは、前記オシレータの第１端子と第２端子との間に接続されている抵抗を有し、前記抵抗の抵抗値と前記共通電圧の周波数は反比例することができる。  添付した図面を参照して本発明の実施形態について詳細に説明することによって本発明を明らかにしたい。
【発明の効果】
【００３２】
本発明によれば、電流制御部のキャパシタの容量を１００ｎＦ以下とすると共に、共通電圧の周波数を可聴周波数範囲外に調節することによって、携帯電話機のような中小型液晶表示装置で発生する騒音を減らすことができる。
【発明を実施するための最良の形態】
【００３３】
以下、添付した図面を参照して、本発明の実施形態を、本発明が属する技術分野における通常の知識を有する者が容易に実施することができるように詳細に説明する。
【００３４】
図面は、各種層及び領域を明確に表現するために、厚さを拡大して示している。明細書全体を通じて類似した部分については同一の参照符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００３５】
本発明の実施形態による液晶表示装置について図面を参照して詳細に説明する。
【００３６】
図１は、本発明の一実施形態による液晶表示装置のブロック図であり、図２は、本発明の一実施形態による液晶表示装置の一つの画素に対する等価回路図であり、図３Ａ及び図３Ｂは、本発明の一実施形態による液晶表示装置の概略図である。
【００３７】
図１に示すように、本発明の一実施形態による液晶表示装置は、液晶表示板組立体３００とこれに接続された共通電圧生成部７１０、ゲート駆動部４００及びデータ駆動部５００、データ駆動部５００に接続された階調電圧生成部８００、並びにこれらを制御する信号制御部６００と液晶表示板組立体３００に光を提供するバックライト部９００を備える。
【００３８】
液晶表示板組立体３００は、等価回路的に見れば複数の表示信号線（Ｇ１−Ｇｎ、Ｄ１−Ｄｍ）とこれに接続されほぼ行列状に配列された複数の画素を備える。
【００３９】
表示信号線（Ｇ１−Ｇｎ、Ｄ１−Ｄｍ）は、ゲート信号（走査信号とも言う。）を伝達する複数のゲート線（Ｇ１−Ｇｎ）とデータ信号を伝達するデータ線（Ｄ１−Ｄｍ）を有する。ゲート線（Ｇ１−Ｇｎ）は大略行方向に延びて互いにほぼ平行であり、データ線（Ｄ１−Ｄｍ）はほぼ列方向に延びて互いにほぼ平行である。
【００４０】
各画素は、表示信号線（Ｇ１−Ｇｎ、Ｄ１−Ｄｍ）に接続されたスイッチング素子Ｑとこれに接続された液晶キャパシタＣＬＣ及びストレージキャパシタＣＳＴを有する。ストレージキャパシタＣＳＴは必要に応じて省略することができる。
【００４１】
薄膜トランジスタなどのスイッチング素子Ｑは、下部表示板１００に備えられ、三端子素子として、その制御端子及び入力端子はそれぞれゲート線（Ｇ１−Ｇｎ）及びデータ線（Ｄ１−Ｄｍ）に接続されており、出力端子は液晶キャパシタＣＬＣ及びストレージキャパシタＣＳＴに接続されている。
【００４２】
液晶キャパシタＣＬＣは、下部表示板１００の画素電極１９０と上部表示板２００の共通電極２７０を二つの端子とし、二つの電極１９０、２７０間の液晶層３は誘電体として機能する。画素電極１９０はスイッチング素子Ｑに接続され、共通電極２７０は上部表示板２００の全面に形成され共通電圧（Ｖｃｏｍ）の印加を受ける。図２とは異なって、共通電極２７０が下部表示板１００に具備されることもあり、その場合には、二つの電極１９０、２７０の少なくとも一つが線形または棒形に形成されることができる。
【００４３】
液晶キャパシタＣＬＣの補助的な役割を果たすストレージキャパシタＣＳＴは、下部表示板１００に備えられた別個の信号線（図示せず）と画素電極１９０が絶縁体を介在して重畳してなり、該別個の信号線には共通電圧（Ｖｃｏｍ）など定められた電圧が印加される。しかし、ストレージキャパシタＣＳＴは、画素電極１９０が絶縁体を媒介としてすぐ上の前段ゲート線と重畳してなることができる。
【００４４】
一方、色表示を実現するために各画素が三原色の一つを固有に表示したり（空間分割）、各画素が時間によって交互に三原色を表示したりする（時間分割）ようにして、これら三原色の空間的、時間的作用で所望の色相が認識されるようにする。図２は、空間分割の一例であって、各画素が画素電極１９０に対応する領域に赤色、緑色、または青色のカラーフィルター２３０を備えている。図２とは異なって、カラーフィルター２３０は、下部表示板１００の画素電極１９０の上または下に形成することもできる。
【００４５】
バックライト部９００は、液晶表示板組立体３００の下部に装着されている複数のランプ（図示せず）を含む光源部９１０を有し、中小型液晶表示装置の場合には、ランプとして発光ダイオード（ＬＥＤ）などが用いられ、ランプが液晶表示板組立体３００の下部周縁に配置されており、導光板が配置されたエッジ型であり得る。
【００４６】
液晶表示板組立体３００の二つの表示板１００、２００の外側面には、光源部９１０から出る光を偏光させる偏光子（図示せず）が付着されている。
【００４７】
一方、図３に示すように、本発明の一実施形態による液晶表示装置は、主表示板部３００Ｍと副表示板部３００Ｓの二つの表示板部、主表示板部３００Ｍに付着されている主ＦＰＣ６８０Ｍ、主ＦＰＣ６８０Ｍに付着される駆動ＦＰＣ６５０、主表示板部６８０Ｍと副表示板部３００Ｓとの間に付着されている補助ＦＰＣ６８０Ｓ、並びに主表示板部３００Ｍに装着されている統合チップ７００を備える。
【００４８】
各表示板部３００Ｍ、３００Ｓは、表示領域３１０Ｍ、３１０Ｓを定義するブラックマトリックス３２０Ｍ、３２０Ｓを有し、画素と表示信号線（Ｇ１−Ｇｎ、Ｄ１−Ｄｍの大概は表示領域３１０Ｍ、３１０Ｓ内に位置する。主表示板部３００Ｍと副表示板部３００Ｓは補助ＦＰＣ６８０Ｓを介して互いに接続されており、主表示板部３００Ｍの下側には主ＦＰＣ６８０Ｍが付着されており、主ＦＰＣ６８０は駆動ＦＰＣ６５０に付着される。
【００４９】
駆動ＦＰＣ６５０はまたインターフェースＦＰＣと呼ばれるものであって、外部装置と接続されている連結部６６０を有し、外部からの信号を伝達するための配線（図示せず）とその端部にはパッド（図示せず）が備えられる。また、駆動ＦＰＣ６５０のパッドと接触する主及び補助ＦＰＣ６８０Ｍ、６８０Ｓと各表示板部３００Ｍ、３００Ｓにもパッドが備えられている。
【００５０】
駆動ＦＰＣ６５０には、結合時に副表示板部３００Ｓが位置する切開部６９０が形成されており、バックライト部９００の光源部９１０に印加される電流を制御する駆動回路部７５０が備えられている。
【００５１】
駆動ＦＰＣ６５０のパッド、主及び補助ＦＰＣ６８０Ｍ、６８０Ｓのパッドと各表示板部３００Ｍ、３００Ｓのパッドを互いに電気的に接続するために、はんだ付けで接続したり、異方性導電膜（ＡＣＦ）を用いたりすることができる。
【００５２】
再び図１を参照すれば、階調電圧生成部８００は、画素の輝度に関連する一組または二組の複数階調電圧を生成する。二組である場合、そのうちの一組は共通電圧（Ｖｃｏｍ）に対してプラスの値を有し、もう一組はマイナスの値を有する。
【００５３】
ゲート駆動部４００は、表示板部３００のゲート線（Ｇ１−Ｇｎ）に接続され、スイッチング素子Ｑを導通させることができるゲートオン電圧（Ｖｏｎ）と、スイッチング素子Ｑを遮断させることができるゲートオフ電圧（Ｖｏｆｆ）の組み合わせからなるゲート信号をゲート線（Ｇ１−Ｇｎ）に印加する。
【００５４】
データ駆動部５００は、表示板部３００のデータ線（Ｄ１−Ｄｍ）に接続され、階調電圧生成部８００からの階調電圧を選択してデータ信号として画素に印加する。
【００５５】
信号制御部６００は、ゲート駆動部４００及びデータ駆動部５００などの動作を制御する。
【００５６】
信号制御部６００、ゲート駆動部４００、データ駆動部５００及び階調電圧生成部８００は、図３に示すように、一つの統合チップ７００で実現され、ＣＯＧ（ｃｈｉｐ  ｏｎ  ｇｌａｓｓ）方式で主表示板部３００Ｍに装着されている。
【００５７】
統合チップ７００は、連結部６６０を介して外部装置から信号を受信し、処理した信号をＦＰＣ６５０に具備された配線を介して主表示板部３００Ｍ及び副表示板部３００Ｓに供給する。
【００５８】
次に、このような液晶表示装置の表示動作について詳細に説明する。
【００５９】
信号制御部６００は、外部のグラフィック制御部（図示せず）から入力映像信号Ｒ、Ｇ、Ｂ及びその表示を制御する入力制御信号、例えば垂直同期信号Ｖｓｙｎｃと水平同期信号Ｈｓｙｎｃ、メインクロックＭＣＬＫ、データイネーブル信号ＤＥなどの提供を受ける。信号制御部６００は、入力映像信号Ｒ、Ｇ、Ｂと入力制御信号に従って映像信号Ｒ、Ｇ、Ｂを液晶表示板組立体３００の動作条件に合うように適切に処理し、ゲート制御信号ＣＯＮＴ１及びデータ制御信号ＣＯＮＴ２などを生成した後、ゲート制御信号ＣＯＮＴ１をゲート駆動部４００に送出し、データ制御信号ＣＯＮＴ２と処理した映像信号ＤＡＴはデータ駆動部５００に送出する。
【００６０】
ゲート制御信号ＣＯＮＴ１は、ゲートオン電圧（Ｖｏｎ）の出力開始を指示する垂直同期開始信号ＳＴＶ、ゲートオン電圧（Ｖｏｎ）の出力時期を制御するゲートクロック信号ＣＰＶ及びゲートオン電圧（Ｖｏｎ）の持続時間を限定する出力イネーブル信号ＯＥなどを含む。
【００６１】
データ制御信号ＣＯＮＴ２は、映像データＤＡＴの入力開始を知らせる水平同期開始信号ＳＴＨとデータ線Ｄ１−Ｄｍに当該データ電圧の印加を指示するロード信号ＬＯＡＤ、共通電圧（Ｖｃｏｍ）に対するデータ電圧の極性（以下、共通電圧に対するデータ電圧の極性を略してデータ電圧の極性と言う。）を反転させる反転信号ＲＶＳ及びデータクロック信号ＨＣＬＫなどを含む。
【００６２】
データ駆動部５００は、信号制御部６００からのデータ制御信号ＣＯＮＴ２に従って一行の画素に対する映像データＤＡＴを順次に受信しシフトさせ、階調電圧生成部８００からの階調電圧の各映像データＤＡＴに対応する階調電圧を選択することによって、映像データＤＡＴを当該データ電圧に変換した後、これを当該データ線（Ｄ１−Ｄｍ）に印加する。
【００６３】
ゲート駆動部４００は、信号制御部６００からのゲート制御信号ＣＯＮＴ１に従ってゲートオン電圧（Ｖｏｎ）をゲート線（Ｇ１−Ｇｎ）に印加して、該ゲート線（Ｇ１−Ｇｎ）に接続されたスイッチング素子Ｑを導通させ、これにり、データ線（Ｄ１−Ｄｍ）に印加されたデータ電圧が導通したスイッチング素子Ｑを介して当該画素に印加される。
【００６４】
画素に印加されたデータ電圧と共通電圧（Ｖｃｏｍ）の差は、液晶キャパシタＣＬＣの充電電圧、つまり画素電圧として表れる。液晶分子は画素電圧の大きさに応じてその配列が異なり、そのため液晶層３を通過する光の偏光が変化する。このような偏光の変化は、表示板１００、２００に付着された偏光子（図示せず）によって光透過率の変化として表れる。
【００６５】
１水平周期（または１Ｈ）（水平同期信号Ｈｓｙｎｃ、データイネーブル信号ＤＥ、ゲートクロックＣＰＶの一周期）が経過すれば、データ駆動部５００とゲート駆動部４００は次行の画素に対して同一な動作を繰り返す。このような方法で、１フレーム期間の間に全てのゲート線（Ｇ１−Ｇｎ）に対して順次にゲートオン電圧（Ｖｏｎ）を印加して全ての画素にデータ電圧を印加する。１フレームが終了すれば次のフレームが開始され、各画素に印加されるデータ電圧の極性が直前フレームでの極性と逆になるように、データ駆動部５００に印加される反転信号ＲＶＳの状態が制御される（フレーム反転）。この時、１フレーム内でも反転信号ＲＶＳの特性に応じて一つのデータ線を介して流れるデータ電圧の極性が変わったり（例：行反転、ドット反転）、一つの画素行に印加されるデータ電圧の極性も互いに異なったりすることがある（例：列反転、ドット反転）。
【００６６】
次に、本発明の実施形態による液晶表示装置について図４乃至図８を参照して詳細に説明する。
【００６７】
図４は、図３Ｂに示す駆動回路部の概略図であり、図５Ａ及び図５Ｂは、図４に示すキャパシタと液晶表示装置の様々な実験条件によって騒音を測定した結果を示した表であり、図６Ａ及び図６Ｂは、本発明の一実施形態によって騒音を測定したグラフである。
【００６８】
図４は、図３Ｂに示す駆動回路部７５０とこれに接続されている光源部９１０、つまり発光ダイオードを示す。
【００６９】
図４に示すように、本発明の一実施形態による駆動回路部７５０は電流生成部７５１と電流設定部７５３を備える。
【００７０】
電流生成部７５１は集積回路からなり、５個のピンからなる端子、つまり第１及び第２入力端子ＩＮ１、ＩＮ２、スイッチング端子ＳＴ、フィードバック端子ＦＢ及び接地端子ＧＮＤを備える。
【００７１】
第１入力端子ＩＮ１には中小型表示装置の駆動に必要な直流電源電圧ＶＢＡＴが入力され、第２入力端子ＩＮ２にはバックライト部９００を動作させるためのイネーブル信号ＥＮが入力される。電流生成部７５１はスイッチング端子ＳＴを介して一定の周波数で交流電流を発光ダイオード９１０に出力し、フィードバック端子ＦＢには電流設定部７５３からフィードバックする電流が入力され、接地端子ＧＮＤは接地電圧に接続されている。
【００７２】
電流設定部７５３は、複数の抵抗Ｒ１−Ｒ３、キャパシタＣ及びスイッチング素子ＳＷを備え、調光信号ＤＩＭに従ってスイッチング素子ＳＷの開閉を調節することによって、発光ダイオード９１０に流れる電流量を調節して発光ダイオード９１０の明るさを調節する。特に、調光信号ＤＩＭが入力されたときを調光モード（ｄｉｍｍｉｎｇ  ｍｏｄｅ）と称し、このような調光モードで発光ダイオード９１０に流れる電流量が次第に減少して暗くなる。
【００７３】
この時、図５Ａ及び図５Ｂは、実験条件を三つに分け、各実験条件に対する三つの試料（ｄｅｖｉｃｅ  ｕｎｄｅｒ  ｔｅｓｔ）に対する騒音を測定した表であり、無騒音室で試料と３ｃｍ程度距離を置いてマイクロフォンを配置した後、騒音を測定した。
【００７４】
実験条件ａ、ｂ、ｃは、電流設定部７５３のキャパシタＣ容量と液晶表示装置の駆動の有無によって分類し、いずれも調光モードである。ここで、キャパシタＣ容量が０であるときは、キャパシタＣを除去した状態を意味し、駆動の有無は、例えばフォルダ型携帯電話機において携帯電話機を開けたときは駆動状態に該当し、携帯電話機を閉じたときは駆動しない状態に該当する。
【００７５】
試料＃１は、三つの実験条件ａ、ｂ、ｃに対して１７．３ｄＢ、１８．５ｄＢ、１８．７ｄＢを示し、試料＃２は、１７．７ｄＢ、１７．３ｄＢ、１８．０ｄＢを示し、試料＃３は、１７．２ｄＢ、１７．３ｄＢ、１７．４ｄＢを示す。
【００７６】
ここで、騒音は時間領域で測定したものを周波数領域にフーリエ変換（Ｆｏｕｒｉｅｒ  ｔｒａｎｓｆｏｒｍ）したものであり、このようにして当該周波数での騒音をより詳細に分かる。図６Ａ及び図６Ｂは、試料＃１に対する実験結果のうち、二つの実験条件ａ、ｃに対して測定したグラフであり、その他の試料＃２、＃３に対してもこれと同様に測定した。
【００７７】
図６Ａ及び図６Ｂで、デシベルは２０ｌｏｇ（ｙ／ｘ）で測定され、ｘは基準となる陰圧であって２０ｕＰａである。実験条件ａにおいて１７．３ｄＢであり、実験条件ｃにおいて１８．７ｄＢであって、実験条件ａが実験条件ｃに比べて１．４ｄＢ少ないことが分かる。これは、実験条件ｃにおいては、５．５ＫＨｚの高調波成分（ｈａｒｍｏｎｉｃ  ｃｏｍｐｏｎｅｎｔ）で均等に騒音が生じて全体的に騒音レベルを増加させるが、キャパシタＣを除去した実験条件ａにおいては、５．４０９ｋＨｚの高調波成分が第２の高調波成分を除いて急激に弱くなり、全体的な騒音レベルを低くする役割を果たす。
【００７８】
同様に、試料＃２、＃３の場合にもキャパシタＣを除去した状態の方が、騒音が小さいことが分かる。
【００７９】
また、本実験では、キャパシタＣを除去した状態で実験した結果を示したが、１００ｎＦ以下である場合にも同様の結果が得られた。
【００８０】
このように、キャパシタＣを１００ｎＦ以下の容量とすることによって、騒音を大きく減少させることができる。
【００８１】
図７は、本発明の一実施形態による共通電圧生成部７１０のブロック図である。本発明の一実施形態による共通電圧生成部７１０は、オシレータ７１１とこれに接続されている電圧生成部７１２を備え、オシレータ７１１の二つの端子ＯＳＣ１、ＯＳＣ２の間には抵抗Ｒｆが接続されている。
【００８２】
オシレータ７１１は、オシレーション信号ＯＳＣを送信し、電圧生成部７１３は該信号ＯＳＣに従って共通電圧（Ｖｃｏｍ）の周波数を調節する。
【００８３】
中小型液晶表示装置の場合、大型液晶表示装置に比べて小さいデータ電圧で駆動を行なうため、共通電圧（Ｖｃｏｍ）も反転駆動を行い、一定の周波数を有する。このような周波数は、通常、フレーム周波数とゲート線の数を乗算した分だけを有するが、例えば１秒当たり６０フレームであり、ゲート線の数が１６０個である場合には９．６ｋＨｚであり、これは可聴周波数に含まれる。
【００８４】
再び図６Ａ及び図６Ｂを参照すれば、図６Ａでは１０．８７ｋＨｚで、図６Ｂでは１１．０ｋＨｚで騒音レベルが急激に増加し、これにより、共通電圧（Ｖｃｏｍ）の周波数の近くで騒音レベルが増加することが分かる。
【００８５】
従って、共通電圧の周波数を可聴周波数帯域から外れるように設計することが好ましい。例えば、２０ｋＨｚを超えるように設計するのが良い。このような共通電圧の周波数の調節は、オシレータ７１１に接続されている抵抗Ｒｆの大きさを調節することによって可能である。抵抗Ｒｆの大きさと周波数は反比例するが、抵抗Ｒｆの大きさを小さくして可聴周波数帯域である２０ｋＨｚを越えるように周波数を増加させることができる。
【００８６】
図８は、本発明の一実施形態による液晶表示装置の概略図の側面図であって、図３Ａに示した液晶表示装置とバックライト部９００を結合した形態である。
【００８７】
バックライト部９００は、図８を基準に左側に配置されている光源部９１０と導光板を介して二つの表示板部３００Ｍ、３００Ｓにそれぞれ光を供給し、二つの表示板部３００Ｍ、３００Ｓは、バックライト部９００を介在して互いに反対側に位置する。
【００８８】
二つの表示板部３００Ｍ、３００Ｓは、各々下部表示板１００Ｍ、１００Ｓと上部表示板２００Ｍ、２００Ｓを有し、統合チップ７００は、主表示板部３００Ｍの下部表示板１００Ｍに装着されている。
【００８９】
主及び補助ＦＰＣ６８０Ｍ、６８０Ｓは折曲してバックライト部９００の上側に上がり、補助ＦＰＣ６８０Ｓは、主表示板部３００Ｍの下部表示板１００Ｍと副表示板部３００Ｓの下部表示板１００Ｓとの間に接続されており、主ＦＰＣ６８０Ｍは、曲がった状態で駆動ＦＰＣ６５０と接続される。駆動ＦＰＣ６５０は、バックライト部９００の上側に位置して切開部６９０には副表示板部３００Ｓが入る。
【００９０】
この時、バックライト部９００の上側には、補助ＦＰＣ６８０Ｓとの間に両面テープとなっている絶縁部材９５０が付着されている。
【００９１】
この絶縁部材９５０は、バックライト部９００と補助ＦＰＣ６８０Ｓの間の発振を遮断して騒音を減らす役割を果たす。前述したように、統合チップ７００は、主表示板部３００Ｍと副表示板部３００Ｓをいずれも駆動するが、副表示板部３００Ｓに伝達されるデータ電圧、ゲート電圧、共通電圧などがバックライト部９００の点滅周波数、つまり図４で説明した電流生成部７５１で生成する交流電流の周波数と発振を起こすとようになると騒音が発生するが、絶縁部材９５０は、このような発振を遮断する役割をして騒音を減らす。
【００９２】
このように、電流設定部７１３のキャパシタＣの容量を１００ｎＦ以下にしたり、共通電圧の周波数を可聴周波数範囲外に調節したり、補助ＦＰＣ６８０Ｓとバックライト部９００との間に絶縁テープのような絶縁部材を設けることで、携帯電話機のような中小型液晶表示装置で発生する騒音を減らすことができる。
【００９３】
以上で本発明の好適な実施形態について詳細に説明したが、本発明の権利範囲はこれに限定されるものではなく、特許請求の範囲で定義している本発明の基本概念を利用した当業者の様々な変形及び改良形態も本発明の権利範囲に属する。
【産業上の利用可能性】
【００９４】
本発明は、液晶表示装置の性能向上に利用することができる。
【図面の簡単な説明】
【００９５】
【図１】本発明の一実施形態による液晶表示装置のブロック図である。
【図２】本発明の一実施形態による液晶表示装置の一つの画素に対する等価回路図である。
【図３Ａ】本発明の一実施形態による液晶表示装置の概略図である。
【図３Ｂ】本発明の一実施形態による液晶表示装置の概略図である。
【図４】図３Ｂに示す駆動ＦＰＣを構成する回路部の概略図である。
【図５Ａ】各々本発明の一実施形態による液晶表示装置の騒音レベルを測定するための実験条件と騒音レベルを示す表である。
【図５Ｂ】各々本発明の一実施形態による液晶表示装置の騒音レベルを測定するための実験条件と騒音レベルを示す表である。
【図６Ａ】本発明の一実施形態による液晶表示装置において図４に示したキャパシタの容量による騒音レベルを測定したグラフである。
【図６Ｂ】本発明の一実施形態による液晶表示装置において図４に示したキャパシタの容量による騒音レベルを測定したグラフである。
【図７】図１に示した共通電圧生成部のブロック図である。
【図８】本発明の他の実施形態による液晶表示装置の概略図の側面図である。
【符号の説明】
【００９６】
３００    表示板部、
３００Ｍ、３００Ｓ    主表示板部、副表示板部、
３１０Ｍ、３１０Ｓ    表示領域、
３２０Ｍ、３２０Ｓ    周辺領域、
４００    ゲート駆動部、
５００    データ駆動部、
６００    信号制御部、
ｒ６５０    駆動ＦＰＣ、
６６０    接続部、
６９０    切開部、
６８０Ｍ、６８０Ｓ    主ＦＰＣｓ、補助ＦＰＣｓ、
７００    統合チップ、
７１０    共通電圧生成部、
７１１    オシレータ、
７１２    電圧生成部、
７５０    駆動回路部、
７５１    電流生成部、
７５３    電流設定部、
８００    階調電圧生成部、
９００    バックライト部、
９１０    光源部、
３    液晶層、
１００    下部表示板、
２００    上部表示板、
１９０    画素電極、
２３０    カラーフィルター、
２７０    共通電極、
Ｒ、Ｇ、Ｂ    入力映像データ、
ＤＥ    データイネーブル信号、
ＭＣＬＫ    メインクロック、
Ｈｓｙｎｃ    水平同期信号、
Ｖｓｙｎｃ    垂直同期信号、
ＣＯＮＴ１    ゲート制御信号、
ＣＯＮＴ２    データ制御信号、
ＤＡＴ    出力映像データ、
ＣＬＣ    液晶キャパシタ、
ＣＳＴ    ストレージキャパシタ、
Ｑ    スイッチング素子、
Ｃ    キャパシタ。
【図１】
2006189801.tif 000003
【図２】
2006189801.tif 000004
【図３Ａ】
2006189801.tif 000005
【図３Ｂ】
2006189801.tif 000006
【図４】
2006189801.tif 000007
【図５Ａ】
2006189801.tif 000008
【図５Ｂ】
2006189801.tif 000009
【図６Ａ】
2006189801.tif 000010
【図６Ｂ】
2006189801.tif 000011
【図７】
2006189801.tif 000012
【図８】
2006189801.tif 000013